Podtech/llm-jp-corpus-v4-ja_patent huggingface dataset:
(57)【要約】【課題】  本考案はロール巻きのビニール袋を引き出して開口する際、２個のローラーの隙間を通過させることによって開口させ、濡れタオルを使用したり、唾を付けたりといった不衛生な行為を無くさせる。【解決手段】  本考案はロール巻きの支持架台（１）の両側板（３）の間に、回転可能な軸受け（４）で両端を支承され、且つ中央部に軸着されて表面が摩擦性を持つそれぞれが異径のローラー（６ａ）、（６ｂ）を縁辺面同士で接触させて形設した軸（５ａ）、（５ｂ）を橋架し、この軸（５ａ）、（５ｂ）の同じ側の端側に歯数が同数の歯車（７ａ）、（７ｂ）を歯合させて固着し、当該ローラー接触面の隙間をロール巻き（２）より引き出されたビニール袋（８）の袋体を形成している２面を通過させて進行距離にズレを生じさせることによってビニール袋の口を開口させ、指を濡れタオル等で湿らすことなく開口出来る様にする。【選択図】図１
0003153307.tif 000002
【実用新案登録請求の範囲】
【請求項１】
ロール巻きビニール袋の支持架台において、当該支持架台両側板中に歯合されて同数回転が可能に保たれて橋架並設された２本の軸のそれぞれ中央部に異径であって且つ摩擦性を有するローラーを、中心に貫通穴をもって軸着させて縁辺面同士を接触させて形設し、当該ローラーの接触面の隙間にロール巻きより引き出されて平板状になったビニール袋を通過させる事により、ビニール袋を形成している２面に進行距離の差を生じさせる事を特徴として開口を容易にしたロール巻きビニール袋の開口補助架台。
【請求項２】
ロール巻きビニール袋の支持架台において、当該支持架台両側板中に歯合されて異数回転が可能に保たれて橋架並設された２本の軸のそれぞれ中央部に同径であって且つ摩擦性を有するローラーを、中心に貫通穴をもって軸着させて縁辺面同士を接触させて形設し、当該ローラーの接触面の隙間にロール巻きより引き出されて平板状になったビニール袋を通過させる事により、ビニール袋を形成している２面に進行距離の差を生じさせる事を特徴として開口を容易にしたロール巻きビニール袋の開口補助架台。
【請求項３】
ロール巻きビニール袋の支持架台において、当該支持架台両側板中に、回転が可能に保たれて橋架並設された２本の軸のそれぞれ中央部に摩擦性を有するローラーを、中心に貫通穴をもって軸着させて縁辺面同士を接触させて形設し、いずれか一方のローラーに適宜の摩擦等の負荷を与えて当該ローラーの接触面の隙間にロール巻きより引き出されて平板状になったビニール袋を通過させる事により、ビニール袋を形成している２面に進行距離の差を生じさせる事を特徴として開口を容易にしたロール巻きビニール袋の開口補助架台。
【考案の詳細な説明】
【技術分野】
【０００１】  本考案は食品量販店等に置かれているロール状に巻かれたビニール袋を引き出して使用するビニール袋架台中に径違いのローラーを挟装し、ローラーによって挟まれた隙間をビニール袋を通過させる事によってビニール袋を開口させるビニール袋架台に関するものである。
【背景技術】
【０００２】  スーパーマーケット等ではレジを済ませた後に、冷凍食品や水がしたたるおそれのあるもの等を他のものを濡らさないように店頭に設置してあるロール状のビニール袋架台からビニール袋を引き出して使用するが、このビニール袋は巻き込み時の圧力で袋の状態を形成している２枚のビニール地が密着し、非常に開けずらいのが常であり、これを解決するために各架台のそばには濡れタオル等が置いてあり、この濡れタオルで指を湿らせて開口させる形が一般的であった。
【先行技術文献】
【特許文献】
【０００３】
【特許文献１】  特許公開２００３−２２６４４９
【非特許文献】
【０００４】
【非特許文献１】  「ＰＡＣＫＡＧＩＮＧＣＡＴＡＬＯＧＵＥ総合カタログ」，中川製袋化工株式会社，１９８９年，ｐ．２８
【０００５】
【非特許文献２】  「ホームセンター２００２−１」，立山アルミニウム工業株式会社，２００２年，ｐ．１３２
【考案の概要】
【考案が解決しようとする課題】
【０００６】  この開口の形態はクリーンイメージを重視するスーパーマーケット等においては、不特定多数の人の指先が膨大な回数で接触する濡れタオルに触れなければならないという非常に不衛生な行為を強いられており、この不衛生な行為を行わないで解決しようとするものである。
【課題を解決するための手段】
【０００７】  本考案はおおむね上向きコ字状をした形態の架台（１）上のロール巻きビニール袋（２）の支持架台において相対する架台の側板（３）に両端を回転可能な軸受け（４）に支えられて適宜の間隔をもって平行に２本の軸（５ａ）、（５ｂ）を橋架し、径が異径であって且つ縁辺に適宜の厚みを持つ柔軟な摩擦素材で成るローラー（６ａ）、（６ｂ）をその中心に貫通穴をもって２本の該軸のそれぞれ中央部に固着し、該ローラーの縁辺の面同士が適宜の圧力を持って接触する様に形成する、また橋架された２本の該軸の同方向の端測に２本の軸がそれぞれ同数回転するように、歯数が同数の歯車（７ａ）、（７ｂ）を歯合させて軸着させた形で該ロール架台上に形設し、該架台上にあるロール巻きより引き出されて平板状になったビニール袋（８）を異径の該ローラーの縁辺面に挟まれた隙間を通過させた時、袋を形成する２枚のビニール地に進行距離の差を生じさせる事によりビニール袋の開口を容易にし問題を解決している。
【考案の効果】
【０００８】  上述のように、ロール巻きよりロール袋を引き出した時点で袋の口は半開きの状態になっているため不特定多数の人々が指先をこすりつけるタオル等で指を湿らせる事もなく開口出来、食品を扱うスーパー等においては特にクリーンなイメージのアップにつながる物であり、特に近年ではビニール製の手提げ袋は環境問題の点からマイバッグ等に変わりつつあるが、個人所有のマイバッグは汚したくないという理由からロール巻きビニール袋の必要性は不可欠のものになっており、タオル等を使わせるという前時代的で不衛生な行為を無くするという効果をもたらす。
【図面の簡単な説明】
【０００９】
【図１】  本体斜視図
【図２】  本体正面図
【符号の説明】
【００１０】１  架台
２  ロール巻きビニール袋
３  架台の側板
４  軸受け
５  軸
６  ローラー
７  歯車
８  引き出されたビニール袋
【図１】
0003153307.tif 000003
【図２】
0003153307.tif 000004
(57)【要約】      （修正有）【課題】設置が容易で、建築コストの低減化を図ることができ、広範囲な場所や用途で使用することのできる外構用建築資材を提供する。【解決手段】外構に使用される外構用建築資材１０であって、基材１１の目地１２又は基材１１の表面１３の凹部１４に発光性材料が塗布されていることを特徴とし、前記発光性材料は夜光剤を含んでいるのが好ましく、前記発光性材料の上にニスが塗布されているのが好ましい。【選択図】図1
0003153395.tif 000002
【実用新案登録請求の範囲】
【請求項１】
外構に使用される外構用建築資材であって、
基材の目地又は基材の表面の凹部に発光性材料が塗布されていることを特徴とする外構用建築資材。
【請求項２】
前記発光性材料は夜光剤を含んでいる請求項１に記載の外構用建築資材。
【請求項３】
前記発光性材料の上にニスが塗布されている請求項１又は２に記載の外構用建築資材。
【考案の詳細な説明】
【技術分野】
【０００１】
本考案は、歩道、縁石、庭、塀、花壇、玄関までのアプローチ等の外構に使用される外構用建築資材に関する。
【背景技術】
【０００２】
一般に、歩道、縁石、庭、塀、花壇、玄関までのアプローチ等の床材や壁材等として、インターロッキングやレンガ等の外構用建築資材が使用されている。
【０００３】
しかし、この種の外構用建築資材が使用される場所は屋外のため、夜間等において周囲が暗くなると、歩行者が安全に歩行し難くなる。そのため、縁石に照明器具を設置したり（例えば、特許文献１参照）、或いは、夜間通行する車両のヘッドライト光を反射する反射板を設けたりすることが行われている（例えば、特許文献２参照）。
【先行技術文献】
【特許文献】
【０００４】
【特許文献１】特開２００２−１３８４２６号公報
【特許文献２】特開２００４−１４５０４２号公報
【考案の概要】
【考案が解決しようとする課題】
【０００５】
しかしながら、上記した特許文献１に記載の発明では、照明器具を縁石に埋め込んだり、照明器具の電源を用意したりする必要があるため、設置に手間が掛かり、建築コストが増大するといった問題があった。
【０００６】
また、上記した特許文献２に記載の発明では、車両のヘッドライト光のような光源がないと反射板が光を発しないため、設置場所や用途が限定されるといった問題があった。
【０００７】
本考案は、上記した課題を解決すべくなされたものであり、設置が容易で、建築コストの低減化を図ることができ、広範囲な場所や用途で使用することのできる外構用建築資材を提供することを目的とするものである。
【課題を解決するための手段】
【０００８】
上記した目的を達成するため、本考案は、外構に使用される外構用建築資材であって、基材の目地又は基材の表面の凹部に発光性材料が塗布されていることを特徴とする。
【０００９】
また、前記発光性材料は夜光剤を含んでいるのが好ましい。
【００１０】
さらに、前記発光性材料の上にニスが塗布されているのが好ましい。
【考案の効果】
【００１１】
本考案によれば、夜間等に設置場所の周囲が暗くなったとしても、発光性材料が光を発するため、歩行者の足元が明るくなり、歩行者は安全に歩行することができる。
【００１２】
また、発光性材料が基材の目地や表面の凹部に塗布されているため、床材として使用された場合でも、歩行者の足に接触せず、剥がれ落ちるおそれがなく、耐久性の向上を図ることができる。
【００１３】
また、発光性材料の上にニスが塗布されている場合には、さらに耐久性の向上を図ることができる。
【００１４】
さらにまた、外構に照明器具を設置したり、車両のヘッドライト光のような光源を必要としたりしないため、設置が容易で、建築コストの低減化を図ることができ、設置場所や用途の自由度を高めることができる等、種々の優れた効果を得ることができる。
【図面の簡単な説明】
【００１５】
【図１】本考案の実施の形態に係る外構用建築資材の一例を示す平面図である。
【考案を実施するための形態】
【００１６】
以下、図面を参照しつつ、本考案の実施の形態について説明する。
【００１７】
図１は本考案の実施の形態に係る外構用建築資材の一例を示す平面図であり、この外構用建築資材１０は、例えばインターロッキング、レンガ、タイル等からなる基材１１の目地１２に発光性材料が塗布されて構成されている。なお、基材１１の表面１３に凹凸がある場合には、基材１１の表面１３の凹部１４に発光性材料が塗布されていてもよい。
【００１８】
前記発光性材料は、例えば緑色、黄色、赤色、青色等に着色された夜光剤に透明な接着剤が混合されて構成されている。また、前記発光性材料の上にはニスが塗布されており、発光性材料が３０％、ニスが７０％の割合で塗付されるのが好ましい。
【００１９】
このような構成を備えた外構用建築資材１０が歩道、縁石、庭、塀、花壇、玄関までのアプローチ等の外構の床材又は壁材等として設置されると、夜間等に設置場所の周囲が暗くなったとしても、前記発光性材料が光を発するため、歩行者の足元が明るくなり、歩行者は安全に歩行することができる。
【００２０】
また、前記発光性材料は基材１１の目地１２や表面１３の凹部１４に塗布されているため、床材として使用された場合でも、歩行者の足に接触せず、剥がれ落ちるおそれがない。さらに、前記発光性材料の上にニスが塗布されているため、耐久性の向上を図ることができる。
【００２１】
さらにまた、外構に照明器具を設置したり、車両のヘッドライト光のような光源を必要としたりしないため、設置が容易で、建築コストの低減化を図ることができ、設置場所や用途の自由度を高めることができる。
【００２２】
なお、上記した実施の形態では、前記発光性材料は夜光剤を含んでいるが、夜光剤の代わりに反射剤を含んでいてもよい。また、前記発光性材料のみを塗布し、ニスを塗布しなくてもよい。
【符号の説明】
【００２３】
１０          外構用建築資材
１１          基材
１２          目地
１３          表面
１４          凹部
【図１】
0003153395.tif 000003
(57)【要約】【目的】  衣服のタックの形や位置を簡便に自在に変えることができ、しかもタックの位置がずれにくいタックホルダーを提供することを目的とする。【構成】  タックホルダー１は、樹脂を材料とする楕円形の薄板２に、切り込み溝３が刻設された構成となっている。【選択図】図１
0003153679.tif 000002
【実用新案登録請求の範囲】
【請求項１】
樹脂を材料とする薄板の中央近傍に、楕円状、直線状、波形状または三角波状等の、切り込み溝を形成したことを特徴とするタックホルダー。
【考案の詳細な説明】
【技術分野】
【０００１】  この考案は、洋裁において折り込み、揚げ、縫い襞等、平面的な布の一部をつまんで、立体的に装飾することを意味する洋裁用語のタックを形成するためのホルダーに関する。
【背景技術】
【０００２】  従来、洋裁においてタックを形成するには縫製を要した。しかしながら、縫製で形成されたタックは、服装や下の服に応じて自由に形や位置を変えることは困難である。【０００３】  最近では、カジュアルウェアも安価で品質の良い量産品が普及しており、似たような服装が街中で見かけられる。若い女性は、自分と同じ服装に出くわすことも増えた。その中で、どのように自分の個性をアピールするかが、現在のファッションのテーマの一つである。【０００４】  そういった中で、Ｔシャツを重ね着して、上側のＴシャツの腰近傍を非対称に揚げて、ファッション性を顕示する服装も若い女性の間で見られる。しかしながら、タック位置を保持するには、身体にフィットするＴシャツでないとずれてくる。【０００５】  特に、肥満気味の女性は身体にフィットするＴシャツでなく、緩めのＴシャツを好むので、タック位置を保持することが難しい。そのため、中には輪ゴムを見えないように使用してタックを作る女性もいる。【０００６】  したがって、簡便な方法でタックの位置や形を自在に変えられ、しかもタックがずれたりすることのないタックホルダーが望まれている。しかしながら、従来、簡便なタックホルダーは提案されていない。
【考案の開示】
【考案が解決しようとする課題】
【０００７】  本考案は、上述したような不具合に鑑みてなされたもので、タックの形や位置を簡便に自在に変えることができ、しかもタックの位置がずれにくいタックホルダーを提供することによって、個性的なファッションの実現を助けるものである。
【課題を解決するための手段】
【０００８】  本考案の請求項１によると、該タックホルダーは、樹脂を材料とする薄板の中央近傍に、楕円状、直線状、波形状または三角波状等の、切り込み溝を形成したことを特徴とする。
【考案の効果】
【０００９】  本考案のタックホルダーでは、衣服の裏側にタックホルダーを配設し、該切り込み溝に衣服の布の一部を引き込むことによって、衣服の裏側にタックが形成され、衣服の一部がつまんで持ち上げられ、タック位置が固定される。【００１０】  該溝に引き込まれた布は、該溝との摩擦によって外れにくい。また、布を該切り込み溝に引き込む際にねじりを与えると、衣服の表面には、ねじられた放射状のタックが形成される。【００１１】  該溝に引き込まれた布は、外すことも可能であり、タックの位置や引き込み量は自在に変更することができる。【００１２】  したがって、非対称のタックを衣服に与えて、下側の衣服を非対称に見せたり、放射状のねじれたタックを形成したりして、個性的なファッションを楽しむことができる。
【考案を実施するための最良の形態】
【００１３】  以下に図面を参照して本考案に係わる実施例の形態を詳細に説明する。
以下、本考案に基づく４つのタックホルダーの実施例を図１、図２、図３および図４に従って説明する。また、図５は本考案に基づくタックホルダーを用いて、衣服にタックを形成する要領を説明する図である。
【第一の実施例】
【００１４】  図１において、第一の実施例としての、タックホルダーの構成を説明する。同図において、タックホルダー１は、樹脂を材料とする楕円形の薄板２に、直線状の切り込み溝３が刻設された構成となっている。
【００１５】  図５において、前記タックホルダーの使用方法を説明する。同図において、衣服７の布の一部８は、衣服の裏面に配設されたタックホルダー１の切り込み溝３に通され、矢印ａ方向に引き込まれ、その結果、布の一部９は矢印ｂ方向に持ち上げられている。
【００１６】  該布の一部８を引き込む際に、矢印ｃ方向のねじれを与えると、衣服の表面ではねじれた放射状のタックが形成される。
【第二の実施例】
【００１７】  図２において、第二の実施例としての、タックホルダーの構成を説明する。同図において、タックホルダー１は、樹脂を材料とする長方形の薄板２に、直線状の切り込み溝４が刻設された構成となっている。
【第三の実施例】
【００１８】  図３において、第三の実施例としての、タックホルダーの構成を説明する。同図において、タックホルダー１は、樹脂を材料とする長方形の薄板２に、波形状の切り込み溝５が刻設された構成となっている。
【第四の実施例】
【００１９】  図４において、第四の実施例としての、タックホルダーの構成を説明する。同図において、タックホルダー１は、樹脂を材料とする長方形の薄板２に、三角形波状の切り込み溝６が刻設された構成となっている。
【００２０】  第二、第三、および第四の実施例においては、該切り込み溝の長さが大きくできるので、幅広い布の部分を持ち上げてタックを形成することができる。
【００２１】  また、該タックを衣服裏面に縦方向に配設すれば、縦方向のタックを形成して、衣服の太さを絞ることもできる。
【００２２】  本考案に基づくタックホルダーの４つの実施例を示した。いずれのタックホルダーも、タックの位置や形、布の引き込み量を自在に変更できるし、タックの位置はずれにくい。
【００２３】  すなわち、本考案に基づくタックホルダーは、位置・形を自在に設定できるタックを簡便に形成する手段を提供し、個性的なファッションを簡便に自在に楽しむ手段を提供する。
【００２４】  なお、実施例では切り込み溝の形状として、直線状、波形状、三角波状と形状を示したが、楕円状の形状もあり、切り込み溝の形状は特に限定しないものとする。
【図面の簡単な説明】
【００２５】
【図１】は、本考案に基づく第一の実施例のタックホルダーの構成を示す図。
【図２】は、本考案に基づく第二の実施例のタックホルダーの構成を示す図。
【図３】は、本考案に基づく第三の実施例のタックホルダーの構成を示す図。
【図４】は、本考案に基づく第四の実施例のタックホルダーの構成を示す図。
【図５】は、本考案に基づくタックホルダーの使用方法を説明する図。
【符号の説明】１            タックホルダー
２            樹脂を材料とする薄板
３、４        直線状の切り込み溝
５            波形状の切り込み溝
６            三角波状の切り込み溝
７            衣服
８、９        衣服の布
【図１】
0003153679.tif 000003
【図２】
0003153679.tif 000004
【図３】
0003153679.tif 000005
【図４】
0003153679.tif 000006
【図５】
0003153679.tif 000007
(57)【要約】      （修正有）【課題】手の汗や汚れによる臭いやタバコ臭が気になることがなく、常に心地良く携帯電話機等の液晶表示画面を持つ機器の使用が行える液晶画面用保護シートを提供する。【解決手段】芳香発生成分を含有する、または、表面の一部に芳香発生成分を含有する塗料が塗布されてなる。【選択図】図３
0003153678.tif 000002
【実用新案登録請求の範囲】
【請求項１】
芳香発生成分を含有することを特徴とする液晶画面用保護シート。
【請求項２】
前記芳香発生成分の含有が当該液晶画面用保護シートの周縁位置になされている請求項１記載の液晶画面用保護シート。
【請求項３】
表面の一部に芳香発生成分を含有する塗料が塗布されてなることを特徴とする液晶画面用保護シート。
【請求項４】
前記塗料の塗布が当該液晶画面用保護シート表面の周縁位置になされている請求項３記載の液晶画面用保護シート。
【考案の詳細な説明】
【技術分野】
【０００１】  この考案は、携帯電話機等の液晶画面を保護するように用いる液晶画面用保護シートに関する。
【背景技術】
【０００２】  携帯電話機を頻繁に使用する場合、手の汗や汚れによる臭いやタバコ臭が付きその使用が心地良く行えなくなる。
【考案の開示】
【考案が解決しようとする課題】
【０００３】  この考案では、手の汗や汚れによる臭いやタバコ臭が気になることがなく、常に心地良く携帯電話機等の液晶表示画面を持つ機器の使用が行えるようにすることを目的とする。
【課題を解決するための手段】
【０００４】  この考案は上記の事情に鑑みて行ったもので、請求項１の考案では芳香発生成分を含有することを特徴とする液晶画面用保護シートを、請求項３の考案では表面の一部に芳香発生成分を含有する塗料が塗布されてなることを特徴とする液晶画面用保護シートを提供する。【０００５】  請求項１の液晶画面用保護シートは、芳香発生成分を含有していることで芳香を発生する。芳香発生成分の含有が当該液晶画面用保護シートの周縁位置になされる構成とされることで、液晶画面の表示が芳香発生成分に遮られることなく見られる。請求項３の液晶画面用保護シートは、表面の一部に芳香発生成分を含有する塗料が塗布されていることで芳香を発生する。塗料の塗布が当該液晶画面用保護シート表面の周縁位置になされる構成とされることで、液晶画面の表示が塗料に遮られることなく見られる。この考案の液晶画面用保護シートは携帯電話機用として好適に用いられる。
【考案の効果】
【０００６】  この考案によれば、手の汗や汚れによる臭いやタバコ臭が気になることがなく、常に心地良く携帯電話機等の液晶表示画面を持つ機器の使用が行えるようになる。さらに、携帯電話機等の機器の使用に際して芳香を発することで、その使用空間を心地良くする効果が果たされる。
【考案を実施するための形態】
【０００７】  図１は請求項１の考案の携帯電話機用である液晶画面用保護シートの使用状態を示す斜視図、図２は同提供時の断面図である。
【０００８】  液晶画面用保護シート１は従来の保護シートと同様に携帯電話機Ｔの液晶画面Ｄ上に貼り付けられて用いられる。液晶画面用保護シート１はポリエチレンテレフタレート樹脂よりなり、提供時においてはその表面にポリエチレンテレフタレート樹脂よりなる表面保護フィルム３が貼り付けられ、裏面にウレタン樹脂粘着剤５介してポリエチレンテレフタレート樹脂よりなる裏面保護フィルム６が貼り付けられている。使用に際しては表面保護フィルム３、裏面保護フィルム６がともに剥がされるとともに、ウレタン樹脂粘着剤５層が液晶画面Ｄを覆うように貼り付けられて取り付けられる。
【０００９】  図３は液晶画面用保護シート１の液晶画面Ｄの表示域に相対しない周縁部分（図１において点線Ｌより外側部分）１０の表面部分の超拡大部分断面図であり、液晶画面Ｄの表示域に相対しない周縁部分１０には、芳香発生成分である粒子１２が多数分散配置されて含有されている。粒子１２は液晶画面用保護シート１の表面Ｆにも多数露呈し、それら粒子１２から芳香が発せられる。液晶画面用保護シート１の粒子１２が存在する部分は透明性が低下するが、周縁部分１０であることで液晶画面Ｄの表示が見にくくなることはない。なお液晶画面用保護シート１は、提供時にはその表面に表面保護フィルム３が貼られていることで無駄に芳香が発生することが防がれる。種々異なる芳香を発する液晶画面用保護シート１が提供されることで、使用者は異なる芳香を楽しめ、また、好みの芳香を選択することができる。
【００１０】  図４は請求項３の考案の携帯電話機用である液晶画面用保護シート１００を示す斜視図であり、液晶画面Ｄの表示域に相対しない周縁部分には、芳香発生成分である粒子が多数分散配置され含有された塗料１０１が塗布されている。その塗料１０１における粒子の配置構成は図３と同様で、塗料１０１表面に露呈する粒子から芳香が発せられる。塗料１０１は周縁部分に塗布されることで液晶画面Ｄの表示が見にくくなることはない。
【図面の簡単な説明】
【００１１】
【図１】請求項１の考案の液晶画面用保護シートの使用状態を示す斜視図
【図２】請求項１の考案の液晶画面用保護シートの提供時の断面図
【図３】請求項１の考案の液晶画面用保護シートの超拡大部分断面図
【図４】請求項３の考案の液晶画面用保護シートの斜視図
【符号の説明】
【００１２】１    液晶画面用保護シート
１０  周縁部分
１２  粒子
【図１】
0003153678.tif 000003
【図２】
0003153678.tif 000004
【図３】
0003153678.tif 000005
【図４】
0003153678.tif 000006
(57)【要約】      （修正有）【課題】運動回数を数え、運動効果を分析することができる腹筋トレーニング器具の計数構造を提供する。【解決手段】腹筋トレーニング器具が有するプレート内の容置空間中に、プレートと組み合わされるベース４１と、ベース４１と相対して弾動する作動部４２からなる。作動部４２は、ばね４３を枢設する弾力素子４０と、作動部４２に設置される磁力素子５０と、信号ライン７０を有する感応素子３０からなる。【選択図】図２
0003153671.tif 000002
【実用新案登録請求の範囲】
【請求項１】
腹筋トレーニング器具の計数構造であって、プレートを有する腹筋トレーニング器具に運用し、前記プレート内に適当な容置空間を形成し、本構造は、主に、
ベースと作動部からなり、前記ベースは前記プレートの容置空間中に組み合わされ、前記作動部は前記ベースと相対して弾動し、且つ、前記ベースと前記作動部一端にばねを枢設する複数の素子からなる弾力素子と、
天然磁石、磁石、或いは、電磁石で、前記弾力素子の作動部箇所に設置される磁力素子と、
前記プレート内の容置空間、或いは、前記弾力素子のベース延伸段に設置され、信号ラインを有して、感応信号を伝送し、前記磁力素子と対応して感応信号を生成する感応素子と、
からなり、上述の素子により、前記腹筋トレーニング器具のプレート内に計数構造を設置することができることを特徴とする腹筋トレーニング器具の計数構造。
【請求項２】
前記ベースと前記作動部は一体成型の弾性片であることを特徴とする請求項１に記載の腹筋トレーニング器具の計数構造。  
【考案の詳細な説明】
【技術分野】
【０００１】
本考案は、腹筋トレーニング器具の計数構造に関するものであって、特に、プレートを有するトレーニング器具に応用する計数構造に関するものである。
【背景技術】
【０００２】
図１で示されるように、公知の腹筋トレーニング器具は、主に、プレート１０を主体とし、プレート１０一端は着地し、もう一端は支柱１１により固定されて、プレートが地面と所定角度をなす。使用時、プレート１０上に横たわると、地面と運動角度を生成し、運動効果を増進するが、腹筋運動と同時に計数をする場合、計数ミスが起こりやすい。
【考案の概要】
【考案が解決しようとする課題】
【０００３】
本考案は、腹筋トレーニング器具の計数構造を提供し、使用者が腹筋運動中に弾力素子に接触し、弾力素子の作用により磁力素子が弾動中で感応素子と作用し、更に、感応素子の信号ラインによりデータを伝送出力し、運動回数を計算すると共に、運動効果を分析することができるようにすることを目的とする。
【課題を解決するための手段】
【０００４】
本考案の腹筋トレーニング器具の計数構造は、プレートを有する腹筋トレーニング器具で、プレート内に適当な容置空間を形成し、感応素子、弾力素子、および、磁力素子からなり、弾力素子は、プレートの容置空間中に定位され、弾力素子は磁力素子に設置されて、信号ラインを有する感応素子に感応し、また、上述の構成素子により、腹筋トレーニング器具のプレート内に計数構造を設置することができる。
【考案の効果】
【０００５】
本考案の腹筋トレーニング器具の計数構造は、使用者が腹筋運動中に弾力素子に接触し、弾力素子の作用により磁力素子が弾動中で感応素子と作用し、更に、感応素子の信号ラインによりデータを伝送出力し、運動回数を計算すると共に、運動効果を分析することができる。
【図面の簡単な説明】
【０００６】
【図１】公知の腹筋トレーニング器具を示す図である。
【図２】本考案の立体組み合わせ図である。
【図３】本考案の立体分解図である。
【図４】本考案のもう一つの実施例図である。
【図５】本考案の使用状態の参考図である。
【考案を実施するための形態】
【０００７】
以下、添付図面を参照して本考案の実施の形態を詳細に説明する。
【実施例】
【０００８】
図２〜図５は、本考案の腹筋トレーニング器具の計数構造を示す図で、プレート６０を有する腹筋トレーニング器具に運用し、プレート６０内に適当な容置空間を形成する。
本構造は、主に、弾力素子４０と、磁力素子５０と、感応素子３０と、からなる。
弾力素子４０は、ベース４１と作動部４２からなり、ベース４１はプレート６０の容置空間６１中に組み合わされ、作動部４２はベース４１と相対して弾動し、即ち、一体成型の弾力片４４であるか、或いは、ベース４１と作動部４２一端にばね４３を枢設する複数の素子からなる。
磁力素子５０は、天然磁石、磁石、或いは、電磁石で、弾力素子４０の作動部４２箇所に設置される。
感応素子３０は、プレート６０内の容置空間６１に設置され、信号ライン７０を有して、感応信号を伝送し、磁力素子５０と対応して感応信号を生成する。
上述の素子により、腹筋トレーニング器具のプレート６０内に計数構造を設置することができる。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００９】
１０  プレート
１１  支柱
３０  感応素子
４０  弾力素子
４１  ベース
４２  作動部
４３  ばね
４４  弾性片
５０  磁力素子
６０  プレート
６１  容置空間
７０  信号ライン
【図１】
0003153671.tif 000003
【図２】
0003153671.tif 000004
【図３】
0003153671.tif 000005
【図４】
0003153671.tif 000006
【図５】
0003153671.tif 000007
(57)【要約】【課題】サーフボード、スキー、スノーボード用ワックスを、手に付着することなく使用できる、繰り出し容器状ワックスを提供する。【解決手段】リップスティックやステックのり等に使用されている繰り出し容器に固形ワックスを充填することによって、ワックスが手に付着することなく使用できるようにした。【選択図】図１
0003153680.tif 000002
【実用新案登録請求の範囲】
【請求項１】
サーフボード、スキー、スノーボード用の固形ワックスを、繰り出し容器に充填することにより、ワックス塗布時、手にワックスが付着することを防ぐと共に、高温によるワックスの溶け出しや変形を防いだ、繰り出し容器状ワックス。
【請求項２】
繰り出し容器に充填されている、という特徴の請求項１記載の繰り出し容器状ワックスは、繰り出し容器を用いることに伴い、容器に色を付けたり、ラベルを貼るなどすることができるので、ワックスの種類を区別できる、繰り出し容器状ワックス。
【考案の詳細な説明】
【技術分野】
【０００１】本発明は、サーフボード、スキー板、スノーボード等に塗布する固形ワックスを、繰り出し容器に充填して使用することで、使用時ワックスが手に付着することを防止できるようにした、繰り出し容器状ワックスである。
【背景技術】
【０００２】従来の固形ワックスは、紙やビニールだけで梱包されており、使用時に手で直接ワックスを持ち塗布していたので、ワックスが手に付着していた。
【考案の概要】
【考案が解決しようとする課題】
【０００３】ワックス塗布時の、手へのワックス付着防止を目的とする。
又、使いかのけワックスは、高温により、溶けて変形することもある。
ワックスは塗布するにつれ、小さくなり、小さくなったワックスは非常に使いづらい為、最後まで使わずに捨ててしまっていた。
また、使用時に種類などが表記してある梱包を剥がしてしまうため、使いかけのワックスは種類の区別ができなくなってしまう。
以上のように、紙やビニールだけで梱包されているワックスは、様々な点において問題がある。
【課題を解決するための手段】
【０００４】サーフボード、スキー、スノーボード用の固形ワックス３を、繰り出し容器１に充填することによって、繰り出し容器１を手に持ち塗布できるため、固形ワックスが手に付着することを防げるようにした。
【考案の効果】
【０００５】ワックスを繰り出し容器に充填して使用するので、ワックスに直接触れることなく塗布でき、手にワックスが付着する事がない。また、繰り出し容器状にしたことに伴い、繰り出し容器に色を付けたりラベルを貼るなどすることができるようになり、中の固形ワックスの種類を区別することもできるようになる。固形ワックスは繰り出し容器の中に入っているため、高温による溶け出しや変形もなくなり、固形ワックスが小さくなっても、新しい固形ワックスを繰り出し容器に充填すれば引き続き使用できるため、小さくなったワックスがゴミにならなくなるという利点もある。
【考案を実施するための形態】
【０００６】以下、本考案の実施の形態について説明する。
（イ）繰り出し容器１に固形ワックス３を充填する。
【図面の簡単な説明】
【０００７】
【図１】  固形ワックスを繰り出し容器に充填した正面図である。
【符号の説明】
【０００８】１  繰り出し容器本体
２  繰り出し容器のキャップ
３  固形ワックス
【図１】
0003153680.tif 000003
(57)【要約】      （修正有）【課題】箸を把持する力が弱い人でも麺類の挟持が容易となる麺箸を提供する。【解決手段】棒状で略先細り状にて成る箸１の先端部２から把持部３近傍に至る箸の表面に、複数の螺旋溝４と適宜間隔を隔てて設けた平滑部５とを螺旋状に連続的に形成する。また、前記螺旋溝は、箸先端部から少なくとも箸全長の２０％から３０％の範囲に形成されると共に、該螺旋溝の底部と頂部間を滑らかな波形の曲線で結んだ輪郭で形成する。【選択図】図１
0003153641.tif 000002
【実用新案登録請求の範囲】
【請求項１】
棒状で略先細り状にて成る箸の先端部から把持部近傍に至る箸の表面に複数の螺旋溝と適宜間隔を隔てて設けた平滑部とを螺旋状に連続的に形成したことを特徴とする麺箸。
【請求項２】
前記螺旋溝は、箸先端部から少なくとも箸全長の２０から３０％の範囲に形成されると共に、該螺旋溝の底部と頂部間を滑らかな波形の曲線で結んだ輪郭で形成したことを特徴とする請求項１記載の麺箸。
【請求項３】
前記麺箸の材料は、シンジオタクチックポリスチレン樹脂又はこれに類する合成樹脂により形成したことを特徴とする請求項１記載の麺箸。
【考案の詳細な説明】
【技術分野】
【０００１】
本考案は、食事用の箸に関し、特にラーメンやそば、うどん等の麺類を食する場合に麺類を確実に挟持し掴めるようにした麺箸に関する。
【背景技術】
【０００２】
従来、ラーメンやそば、うどん等の麺類を食するときは、該麺類が箸先から滑り落ちて麺汁で衣服を汚すことが多い。特に幼年の子供や老人のように指先の把持力が弱い者の場合はしばしこのような失敗を繰り返すのが普通である。この原因は指先の把持力が弱いこととあいまって、箸自体の表面が滑らかな先細りに形成されていることによる。
【０００３】
この対策として、箸表面に摩擦力を増すためのざらざら部を設けたもの、割り箸などのように箸表面に角部を形成したもの、或いは箸先に微少の凹凸や溝を設けるなどにより麺類を掴みやすくした箸が多く使用されている。この種の箸としては、特許文献１に示す箸や、特許文献２に示す箸などが公知である。
【先行技術文献】
【特許文献】
【０００４】
【特許文献１】実開昭６３−１４０２６８号公報
【特許文献２】実用新案登録第３１３８１６６号公報
【考案の概要】
【考案が解決しようとする課題】
【０００５】
上記特許文献１のものは、箸先の一部になだらかな螺旋溝を連続的に複数刻設したものであるが該麺類を口元に運んだ後該箸先を口元から抜き取るときに前記螺旋溝が相互に隣接して形成されていること、及び前記螺旋溝の刻設によって形成された山の頂部が尖っていることから飲食者の唇を傷つけたりして著しく食感を損なうという問題点がある。
【０００６】
一方、特許文献２のものは箸の端縁部に延伸方向に沿って形成したＶ字型の内溝と、箸の外周に円周状に刻み込まれた滑り止め溝とによって挟持対象物間の接触面を大きく取るようにして該挟持対象物が滑り難くしたものであるが、前記Ｖ字型の内溝と箸の外周に円周状に刻み込まれた滑り止め溝との交叉部が飲食者の唇に引っ掛かり前述同様に著しく食感を損なう他箸の端縁部の構造が複雑でかつ箸自体の芯となる部分が細いため折れやすいという問題点がある。
【０００７】
そこで、本考案は上記問題点を解消し特に幼年者や老人のように把持力の弱い者でも麺類を容易に挟持でき違和感なく食することができる麺類用の麺箸を提供することを目的とする。
【課題を解決するための手段】
【０００８】
上記課題を解決するために本考案は、棒状で略先細り状にて成る箸１の先端部２から把持部３近傍に至る箸の表面に、複数の螺旋溝４と適宜間隔を隔てて設けた平滑部５とを螺旋状に連続的に形成したことを特徴とする（請求項１）。
【０００９】
また、前記螺旋溝は、箸先端部から少なくとも箸全長の２０％から３０％の範囲に形成されると共に、該螺旋溝の底部６と頂部７間を滑らかな波形の曲線で結んだ輪郭で形成するとよい（請求項２）。
【００１０】
さらに、前記箸の材料は、シンジオタクチックポリスチレン樹脂又はこれに類する合成樹脂により形成することもできる（請求項３）。
【考案の効果】
【００１１】
本考案によれば、特に幼年者や老人のように箸の把持力が弱い者でも把持した２本の箸先を軽く寄せ合うだけで容易に麺類を挟持できる。また、麺類用の汁容器は比較的底の深いものが多いが、このような容器であっても箸１をやや垂直にした状態で箸先を軽く寄せ合わせて麺類を挟持しそのまま引き揚げれば麺が箸先の螺旋溝に引っ掛かり滑り落ちることなく確実に口元まで運ぶことができる。
【図面の簡単な説明】
【００１２】
【図１】本考案麺箸の外観図である。
【図２】箸先端部の拡大図である。
【図３】箸先端部の拡大断面図である。
【考案を実施するための形態】
【実施例】
【００１３】
以下、本考案麺箸の詳細について図１ないし図３により説明する。棒状で略先細り状に形成された箸１の先端部２には、該先端部から把持部３近傍に至る間（概ね箸全長の２５％の範囲）の箸表面に螺旋状に刻設された複数の螺旋溝４（本実施例は３本）が適宜幅の平滑部５を挟んで連続的に刻設されている。
【００１４】
この螺旋溝４は、図３に示すように溝の底部６と頂部７間を滑らかな波形の曲線で結んだ輪郭で形成し、また平滑部５は前記複数の螺旋溝４と概ね同じ幅にて形成されている。また、箸１自体の材料は合成樹脂、例えば比較的耐熱性のシンジオタクチックポリスチレン樹脂（ＳＰＳ）又はこれに類する合成樹脂により形成するのがよく、これにより螺旋溝の磨耗も少なくかつ折れ難いため長期にわたって使用できる。
【００１５】
なお、前記螺旋溝４を形成した範囲は丸型が好ましく、それ以外の把持部３の外周部は多角形または丸型など適宜選択すればよく、また表面に各種の模様を施したり、箸全体に色彩を施したりするなど目的・用途に応じて適宜選択可能であることは云うまでもない。
【産業上の利用可能性】
【００１６】
本考案麺箸は、単にラーメンやそば、うどん等の麺類を食する場合に利用する以外に例えば麺ゆで時のさい箸やパスタ類の他、ぬめりのある海草類など比較的長物の食材に使用すると効果的であるなど多方面で利用可能である。
【符号の説明】
【００１７】
１  箸
２  先端部
３  把持部
４  螺旋溝
５  平滑部
６  底部
７  頂部
【図１】
0003153641.tif 000003
【図２】
0003153641.tif 000004
【図３】
0003153641.tif 000005
(57)【要約】【課題】形状がコンパクトでありながら吊掛け強度に優れた吊掛具の提供を目的とする。【解決手段】棒状の本体部と、本体部の軸中心に沿って下側から木ねじを挿通するための挿入貫通孔とを備えた吊掛具であって、挿入貫通孔は下から挿入した木ねじの頭部を途中で係止する係止段差部を有し、本体部は前記係止段差部より下側に位置した側部から側面視略逆Ｌ字状の切り込みを入れることで吊下げ部を形成したことを特徴とする。【選択図】  図１
0003153630.tif 000002
【実用新案登録請求の範囲】
【請求項１】
棒状の本体部と、本体部の軸中心に沿って下側から木ねじを挿通するための挿入貫通孔とを備えた吊掛具であって、
挿入貫通孔は下から挿入した木ねじの頭部を途中で係止する係止段差部を有し、
本体部は前記係止段差部より下側に位置した側部から側面視略逆Ｌ字状の切り込みを入れることで吊下げ部を形成したことを特徴とする吊掛具。
【請求項２】
前記側面視略逆Ｌ字状の切り込みは、前記挿入貫通孔の側壁を切り欠いて形成したことを特徴とする請求項１記載の吊掛具。
【考案の詳細な説明】
【技術分野】
【０００１】
本考案は、額縁や掛け軸を吊掛けるための吊掛具に関する。
【背景技術】
【０００２】
床の間に掛け軸を吊り下げたり、室内の壁面に額縁を吊り下げる場合に天井回り縁にＬ字形状のフック部材を取り付け、このフック部に掛け軸や額縁を吊掛けることが一般的に行われている。
しかし、従来のフック状の吊掛具は強度が弱く５Ｋｇ以上あるような重い額縁等を吊掛けることができなかった。
また、地震などの衝撃が発生すると、この額縁等が脱落する恐れもあった。
例えば、実開昭５７−２２３７２号公報に額縁の吊掛具を開示し、高さ調整が可能であるメリットがあるものの吊下げ強度が大きいものではない。
【先行技術文献】
【特許文献】
【０００３】
【特許文献１】実開昭５７−２２３７２号公報
【考案の開示】
【考案が解決しようとする課題】
【０００４】
本考案は、形状がコンパクトでありながら吊掛け強度に優れた吊掛具の提供を目的とする。
【課題を解決するための手段】
【０００５】
本考案に係る吊掛具は、棒状の本体部と、本体部の軸中心に沿って下側から木ねじを挿通するための挿入貫通孔とを備えた吊掛具であって、挿入貫通孔は下から挿入した木ねじの頭部を途中で係止する係止段差部を有し、本体部は前記係止段差部より下側に位置した側部から側面視略逆Ｌ字状の切り込みを入れることで吊下げ部を形成したことを特徴とする。
また本考案においては、前記側面視略逆Ｌ字状の切り込みは、前記挿入貫通孔の側壁を切り欠いて形成してあるのが好ましい。
ここで、木ねじとは釘機能を有したねじ部材をいい、タッピングねじ、スクリューねじ、ドリリングねじ等も含まれる。
【考案の効果】
【０００６】
本考案においては、棒状の本体部の下側から木ねじを挿入し、天井回り縁等に固定するだけで、本体部の側部を切り欠いて設けた吊下げ部に額縁や掛け軸の吊りひもを引掛けることができる。
従って、本考案に係る吊掛具は構造がシンプルでありながら、本体部に一体的に吊下げ部が形成されているために強度が大きく５Ｋｇ〜１０Ｋｇの重いものや大きいものであっても落下の恐れがない。
【図面の簡単な説明】
【０００７】
【図１】本考案に係る吊掛具の斜視図を示す。
【図２】（ａ）は吊掛具の正面図、（ｂ）は側面図、（ｃ）は断面図を示す。
【図３】本考案に係る吊掛具を木ねじを用いて被固定側に固定した状態を示し、（ａ）は側面図、（ｂ）は断面図を示す。
【図４】本考案に係る吊掛具に額縁等を吊り掛けた状態の例を示す。
【図５】吊掛具の他の実施例を示す。
【考案を実施するための最良の形態】
【０００８】
本考案に係る吊掛具１０の構造例を以下図面に基づいて説明する。
図１に斜視図、図２に正面図及び側面図を示すように吊掛具１０は、棒状の金属製からなる本体部１１の下側から木ねじを挿入するための挿入貫通孔１２を有する。
挿入貫通孔１２は、下から木ねじの先端部を先にして挿入する挿入口１２ａを有し、この挿入口１２ａは木ねじの頭部も通る大きさの口径になっている。
ドライバー等を用いて木ねじを下から上に向けて押し込むと、木ねじの頭部の根元側が当接する係止段差部１２ｂを有し、上部の突出口１２ｃから木ねじのねじ部が突出するようになっている。
これにより、木ねじを用いて吊掛具１０は、天井回り縁等に下側から固定できる。
【０００９】
本体部１１の側部（正面側）から側面視逆Ｌ字状に切り込みを入れて、額縁、掛け軸等を吊り下げるひもやワイヤーが係止する吊下げ部１３を形成してある。
吊下げ部１３から吊り下げひも等がずれ落ちないように前側は立設した引掛部１４となっている。
この引掛部１４及び吊下げ部１３は、挿入貫通孔を形成した本体部の側壁部を切り欠くように形成してあるので吊下げ荷重は棒状本体部の軸心に沿って負荷されるので強度が強く、従来のフック部材のようにフック先が重量に耐えきれず下側に折れ曲がる心配もない。
【００１０】
図３は、吊掛具１０を木ねじ２を用いて天井回り縁あるいは壁の上框に固定した例を示し、図４は掛け軸、額縁等を吊掛けた状態を示す。
木ねじ２の頭部２ａが本体部１１の係止段差部１２ｂに当たり確実に固定でき、その下側に吊下げ部１３及び引掛部１４を形成したので外形がコンパクトであり、掛け軸や額縁４のひもやワイヤー３を吊掛ける作業が容易になる。
【００１１】
図１〜図４に示した吊掛具の例は本体部１１の外形が六角形状であったが外形形状は特に制限がなく、例えば図５に示すように円柱形状の本体部１１Ａであってもよい。
【符号の説明】
【００１２】
１０      吊掛具
１１      本体部
１２      挿入貫通孔
１２ａ    挿入口
１２ｂ    係止段差部
１２ｃ    突出口
１３      吊下げ部
１４      引掛部
【図１】
0003153630.tif 000003
【図２】
0003153630.tif 000004
【図３】
0003153630.tif 000005
【図４】
0003153630.tif 000006
【図５】
0003153630.tif 000007
(57)【要約】      （修正有）【課題】おりんを打ち鳴らす際の打音に響きがあり、長く振動するりん棒の提供する。【解決手段】おりんを打ち鳴らすりん棒１０を、金属製の芯棒１１の打部に、打ち鳴したときの衝撃の吸収度が適切で打音に響きがありかつデザイン上の自由度が高いオーガンジー１２を被覆して構成する。【選択図】図１
0003153632.tif 000002
【実用新案登録請求の範囲】
【請求項１】
おりんを打ち鳴らすりん棒であって、金属製の芯棒の打部にオーガンジーを被覆してあることを特徴とするりん棒。
【考案の詳細な説明】
【技術分野】
【０００１】
本考案は葬祭用具の１つであるおりんを打ち鳴らすりん棒に関する。
【背景技術】
【０００２】
おりんは、仏壇の前や荘厳中の壇上に置かれ、仏壇の御参りや供養の際にりん棒で打ち鳴らす葬祭用具である。
おりんの響きが良くなるように従来は椀形のりんをりん布団の上に載置したり、特開２００６−１３０３０５号には器状の金属製のりん部を棒状支持部で支持するものが提案されている。
しかし、おりんの振動による響きは、りん部の改善だけでは限界があるのにこれまでりん棒の改善については殆ど報告がない。
従来から使用されているりん棒は、黄銅製等の金属製の芯棒の打部にゴムを被覆したものであった。
これは、黄銅のりん棒で直接、りん部を打ち鳴らすと、打音は周波数の高い金属音になることからゴムを被覆したものである。
しかし、ゴムは弾性があり、りん棒の打部をりん部に打ち当てた際に衝撃を和らげる効果があるものの、打音の響きが弱くなる問題があった。
また、ゴムを被覆したものは、その打部が黒色であり、高級感や美観が無かった。
【先行技術文献】
【特許文献】
【０００３】
【特許文献１】特開２００６−１３０３０５号公報
【考案の開示】
【考案が解決しようとする課題】
【０００４】
本考案は、おりんを打ち鳴らす際の打音に響きがあり、長く振動するりん棒の提供を目的とする。
【課題を解決するための手段】
【０００５】
本考案は、おりんを打ち鳴らすりん棒であって、金属製の芯棒の打部にオーガンジーを被覆してあることを特徴とする。
ここで、オーガンジーとは平織の生地をいい、一般に薄手で軽く透けている。
基本的には綿の糸を縦横１本ずつ交互に組み合せた平織の生地をいうが、近年は、絹、レーヨン、ポリエステル、ナイロンを素材に使用したものも存在する。
本考案に用いるオーガンジーは薄地の平織の生地であれば素材を問わない。
また、オーガンジーには多彩な各種色調があり、特に都市型仏壇、ペット仏壇等において仏壇、仏具のデザイン、カラーに合せてコーディネイトでき、美観、高級感がある。
【考案の効果】
【０００６】
本考案に係るりん棒にあっては、金属製の芯材の打部にオーガンジーを被覆したので従来のゴム被覆よりも弾力性が小さく、りん部を打ち鳴らした際に衝撃の吸収が少なく、それでいて、直接金属で打ち鳴らすものではないので打音に響きがあり、りん棒として優れている。
【図面の簡単な説明】
【０００７】
【図１】りん棒の第１の実施例を示す。
【図２】りん棒の第２の実施例を示す。
【考案を実施するための最良の形態】
【０００８】
本考案に係るりん棒は、おりんのりん部を打ち鳴らすためのものであり、金属製の芯材の打部にオーガンジーを被覆したものである限りにおいて形状は問わない。
図１に本考案に係るりん棒１０の第１の実施例を示し、黄銅からなる芯材１１にオーガンジー１２を被覆した例である。
図２に第２の実施例を示し、りん棒１０Ａは打部１２と持手部１３からなり、打部１２は黄銅の芯材にオーガンジーを被覆してある。
オーガンジーは一重巻きでよく、素材が細かければ２〜３重巻きにしてもよい。
【符号の説明】
【０００９】
１０      りん棒
１１      芯材
１２      オーガンジー
【図１】
0003153632.tif 000003
【図２】
0003153632.tif 000004